(57)【要約】【課題】  設備の簡素化・小規模化を図りつつ、燃料電池スタックのアノードの酸化劣化を防止することができる燃料電池システムを提供する。【解決手段】  第１原燃料を改質して第１改質ガスを生成する発電用改質器２と、この発電用改質器２で得られた第１改質ガスと空気とを用いて発電を行うＳＯＦＣスタック３と、第２原燃料を改質して、燃料電池システム１の起動・停止時にＳＯＦＣスタック３のアノード３ａを酸化劣化から保護するための第２改質ガスを生成する起動・停止用改質器４とを備える燃料電池システム１において、発電用改質器２、ＳＯＦＣスタック３及び起動・停止用改質器４をモジュール容器５内に収容してモジュール化し、モジュール容器５内におけるＳＯＦＣスタック３と起動・停止用改質器４との間に発電用改質器２を配置する。【選択図】  図１
2008198486.tif 000002
【特許請求の範囲】
【請求項１】
第１原燃料を改質して第１改質ガスを生成する第１改質器と、
前記第１改質器で生成された前記第１改質ガスを用いて発電を行う燃料電池スタックと、
第２原燃料を改質して、前記燃料電池スタックのアノードを酸化劣化から保護するための第２改質ガスを生成する第２改質器と、
前記第１改質器、前記燃料電池スタック及び前記第２改質器を収容する容器とを備え、
前記容器内における前記燃料電池スタックと前記第２改質器との間には、前記燃料電池スタックによる発電に寄与する部材が配置されていることを特徴とする燃料電池システム。
【請求項２】
前記燃料電池スタックによる発電に寄与する部材が前記第１改質器であることを特徴とする請求項１記載の燃料電池システム。
【請求項３】
前記燃料電池スタックに供給される空気を予熱する空気予熱器を更に備え、
前記燃料電池スタックによる発電に寄与する部材が前記空気予熱器であることを特徴とする請求項１記載の燃料電池システム。
【請求項４】
前記第２改質器と前記燃料電池スタックによる発電に寄与する部材との間には断熱材が介在されていることを特徴とする請求項１〜３のいずれか一項記載の燃料電池システム。
【発明の詳細な説明】
【技術分野】
【０００１】
本発明は、原燃料及び空気を導入して発電を行う燃料電池システムに関するものである。
【背景技術】
【０００２】
燃料電池システムの一つとして固体酸化物形燃料電池（ＳＯＦＣ）システムがある。一般に固体酸化物形燃料電池システムは、灯油や都市ガス等の炭化水素燃料（原燃料）を改質して水素含有ガス（改質ガス）を生成する改質器と、この改質器で得られた改質ガスと空気とを電気化学的に発電反応させる燃料電池スタックとを備えている。燃料電池スタックは、通常５５０〜１０００℃程度の高温下で作動される。そのようなＳＯＦＣシステムとしては、例えば特許文献１に記載されているものが知られている。
【特許文献１】特開２００２−３５８９９７号公報
【発明の開示】
【発明が解決しようとする課題】
【０００３】
しかしながら、上記従来技術においては、以下の問題点が存在する。即ち、燃料電池システムの起動時には、改質器が改質ガスを生成可能な温度まで昇温される間、燃料電池スタックのアノード（燃料極）の酸化劣化を防止するために、水素等の還元性ガスをアノードに供給する必要がある。また、燃料電池システムの停止時には、改質器により改質ガスが生成されなくなった後に、同様の理由から還元性ガスをアノードに供給する必要がある。水素の供給源としては、水素ガスボンベ、水素吸蔵・吸熱発生材、電解水素など種々のものがある。しかし、このような水素供給源を用いると、システム（設備）が複雑化したり大規模化したりして、コストアップの要因となる。
【０００４】
本発明の目的は、設備の簡素化・小規模化を図りつつ、燃料電池スタックのアノードの酸化劣化を防止することができる燃料電池システムを提供することである。
【課題を解決するための手段】
【０００５】
本発明の燃料電池システムは、第１原燃料を改質して第１改質ガスを生成する第１改質器と、第１改質器で生成された第１改質ガスを用いて発電を行う燃料電池スタックと、第２原燃料を改質して、燃料電池スタックのアノードを酸化劣化から保護するための第２改質ガスを生成する第２改質器と、第１改質器、燃料電池スタック及び第２改質器を収容する容器とを備え、容器内における燃料電池スタックと第２改質器との間には、燃料電池スタックによる発電に寄与する部材が配置されていることを特徴とするものである。
【０００６】
このような本発明の燃料電池システムの起動時には、例えば第２改質器を所定温度まで昇温した後、第２改質ガスが第２改質器によって生成され、その第２改質ガスが燃料電池スタックに供給される。その後、燃料電池スタックからの輻射熱や排ガス（オフガス）燃焼熱等によって第１改質器が所定温度まで昇温されると、第１改質ガスが第１改質器によって生成され、その第１改質ガスが燃料電池スタックに供給される。このように発電に用いる第１改質ガスが燃料電池スタックに供給される前には、燃料電池スタックのアノードを酸化劣化から保護するための第２改質ガスが燃料電池スタックに供給されることとなる。
【０００７】
燃料電池システムの停止時には、例えば第２改質器を所定温度まで昇温した後、第２改質器により第２改質ガスが生成され、その第２改質ガスが燃料電池スタックに供給されると共に、燃料電池スタックへの第１改質ガスの供給が停止される。その後、燃料電池スタックが所定の温度まで降温されると、燃料電池スタックへの第２改質ガスの供給が停止される。このように燃料電池スタックへの第１改質ガスの供給が停止された後には、燃料電池スタックのアノードを酸化劣化から保護するための第２改質ガスが燃料電池スタックに供給されることとなる。
【０００８】
ここで、電池スタックのアノードを酸化劣化から保護するための第２改質ガスとしては、水素含有ガス等の還元性ガスが好適である。水素含有ガスは、炭化水素系燃料を改質することで得られる。従って、第２原燃料として炭化水素系燃料を使用し、第２改質器により炭化水素系燃料を改質して第２改質ガスを生成することにより、水素供給源である水素ガスボンベ等を使用しなくて済む。しかも、第２改質器は、第１改質器と共に容器内に配置されている。これにより、燃料電池システムのスペース効率が良好となり、システム（設備）の簡素化及び小規模化を図ることができる。
【０００９】
また、容器内における燃料電池スタックと第２改質器との間に、燃料電池スタックによる発電に寄与する部材を配置することにより、燃料電池システムの起動時に第２改質器が昇温される際、第２改質器から燃料電池スタックへの伝熱が、燃料電池スタックによる発電に寄与する部材に遮られるようになる。このため、燃料電池スタックは、第２改質器からの輻射熱を受けにくくなる。従って、第２改質器からの輻射熱によって燃料電池スタックの温度が必要以上に高くなることが抑制される。これにより、第２改質ガスが燃料電池スタックに供給される前に、燃料電池スタックのアノードが酸化劣化することを確実に防止できる。
【００１０】
好ましくは、燃料電池スタックによる発電に寄与する部材が第１改質器である。この場合には、燃料電池システムの起動・停止時に、第１改質器が第２改質器から燃料電池スタックへの伝熱を遮るだけでなく、燃料電池スタックからの輻射熱やオフガス燃焼熱等を受けやすくなる。従って、第１改質器が高温の熱源を必要とする場合に有効である。
【００１１】
また、燃料電池スタックに供給される空気を予熱する空気予熱器を更に備え、燃料電池スタックによる発電に寄与する部材が空気予熱器であっても良い。このように空気予熱器を容器内に配置することにより、燃料電池システムのスペース効率が一層良くなると共に、空気予熱器が第２改質器から燃料電池スタックへの伝熱を遮ることとなる。
【００１２】
また、好ましくは、第２改質器と燃料電池スタックによる発電に寄与する部材との間には断熱材が介在されている。この場合には、第２改質器から燃料電池スタックへの伝熱が十分低減されるため、第２改質器からの輻射熱による燃料電池スタックの温度上昇が一層抑制されるようになる。
【発明の効果】
【００１３】
本発明によれば、設備の簡素化・小規模化を図りつつ、燃料電池スタックのアノードの酸化劣化を防止することができる。これにより、燃料電池システムにかかるコストを削減することが可能となる。
【発明を実施するための最良の形態】
【００１４】
以下、本発明に係わる燃料電池システムの好適な実施形態について、図面を参照して詳細に説明する。
【００１５】
図１は、本発明に係わる燃料電池システムの第１実施形態を示すシステム構成図である。同図において、本実施形態の燃料電池システム１は、原燃料（第１原燃料）を改質して改質ガス（第１改質ガス）を生成する発電用改質器（第１改質器）２と、この発電用改質器２で得られた改質ガスと空気とを用いて発電を行う固体酸化物形燃料電池（ＳＯＦＣ）スタック３と、原燃料（第２原燃料）を改質して改質ガス（第２改質ガス）を生成する起動・停止用改質器（第２改質器）４とを備えている。発電用改質器２、ＳＯＦＣスタック３及び起動・停止用改質器４は、モジュール容器５内に収容されてモジュール化されている。
【００１６】
また、燃料電池システム１は、発電用原燃料及び水蒸気が混合された発電用改質原料をモジュール容器５の外部から発電用改質器２に供給するための原料供給系６と、起動・停止用原燃料及び水蒸気が混合された起動・停止用改質原料をモジュール容器５の外部から起動・停止用改質器４に供給するための原料供給系７とを備えている。
【００１７】
原料供給系６は、発電用改質器２と接続された原料導入管８と、発電用原燃料の供給量を調整する電磁バルブ９と、水蒸気の供給量を調整する電磁バルブ１０とを有している。発電用原燃料としては、例えば灯油や都市ガス等の炭化水素燃料が用いられる。原料供給系６は、例えば水気化器（図示せず）で得られた水蒸気に燃料気化器（図示せず）で得られた原燃料ガスを混合させて発電用改質原料ガスを生成する。そして、その発電用改質原料ガスが原料導入管８内を通って発電用改質器２に導入される。
【００１８】
原料供給系７は、起動・停止用改質器４と接続された原料導入管１１と、起動・停止用原燃料の供給量を調整する電磁バルブ１２と、水蒸気の供給量を調整する電磁バルブ１３とを有している。起動・停止用原燃料としては、灯油や都市ガス等の炭化水素燃料が用いられる。原料供給系７は、原料供給系６と同様に、例えば水気化器（図示せず）で得られた水蒸気に燃料気化器（図示せず）で得られた原燃料ガスを混合させて起動・停止用改質原料ガスを生成する。そして、その起動・停止用改質原料ガスが原料導入管１１内を通って起動・停止用改質器４に導入される。
【００１９】
発電用改質器２は、発電用改質原料を改質触媒で水蒸気改質反応させて、水素及び一酸化炭素を含有する改質ガスを生成する。この改質ガスは、ＳＯＦＣスタック３による発電に用いられるガスである。水蒸気改質反応は非常に大きな吸熱反応であり、反応温度が５５０〜７５０℃程度と比較的高いので、高温の熱源が必要となる。このため、発電用改質器２は、ＳＯＦＣスタック３の近傍に配置され、ＳＯＦＣスタック３からの輻射熱及びオフガス燃焼熱を利用して水蒸気改質反応を行う。具体的には、発電用改質器２は、ＳＯＦＣスタック３と起動・停止用改質器４との間に配置されている。
【００２０】
ＳＯＦＣスタック３は、改質ガス供給管１４を介して発電用改質器２と接続されている。また、ＳＯＦＣスタック３には、モジュール容器５の外部から空気を導入するための空気導入管１５が接続されている。空気導入管１５には、空気の導入量を調整する電磁バルブ１６が設けられている。
【００２１】
また、空気導入管１５には、ＳＯＦＣスタック３に供給される空気を予熱する空気予熱器１７が設けられている。空気予熱器１７としては、例えば熱交換器が使用される。なお、空気予熱器１７は、図示の通りモジュール容器５内に配置されていても良いし、モジュール容器５の外部に配置されていても良い
【００２２】
ＳＯＦＣスタック３は、複数の電池セルが積み重ねられて構成されている。電池セルは、アノード（燃料極）３ａと、カソード（空気極）３ｂと、アノード３ａとカソード３ｂとの間に配置された電解質３ｃとを有している。アノード３ａには改質ガスが導入され、カソード３ｂには空気が導入される。これにより、各電池セルにおいて電気化学的な発電反応が行われることになる。なお、ＳＯＦＣスタック３は、通常５５０〜１０００℃程度の高温で作動する。
【００２３】
起動・停止用改質器４は、起動・停止用改質原料を改質触媒で水蒸気改質反応させて、還元性を有する水素を含有する改質ガスを生成するものである。この改質ガスは、燃料電池システム１の起動・停止時にＳＯＦＣスタック３のアノード３ａを酸化劣化から保護するためのガスである。起動・停止用改質器４は、発電用改質器２に対してＳＯＦＣスタック３の反対側、つまりＳＯＦＣスタック３による発電反応時にＳＯＦＣスタック３からの輻射熱及びオフガス燃焼熱を直接受けにくい位置に、発電用改質器２から離間して配置されている。なお、起動・停止用改質器４は、特に発電に寄与するものでないので、発電用改質器２に比べて小容量であっても良い。
【００２４】
起動・停止用改質器４は、改質ガス供給管１８を介して原料導入管８と分岐接続されている。起動・停止用改質器４により生成された改質ガスは、改質ガス供給管１８、原料導入管８、発電用改質器２及び改質ガス供給管１４を介してＳＯＦＣスタック３に供給される。ここでは、起動・停止用改質器４で生成された改質ガスによって発電用改質器２の改質触媒を還元させるために、改質ガス供給管１８を発電用改質器２の入力側に分岐接続したが、改質ガス供給管１８を発電用改質器２の出力側（改質ガス供給管１４）に接続しても良い。
【００２５】
また、燃料電池システム１は、運転時にシステム全体を制御する制御装置１９を備えている。制御装置１９は、電磁バルブ９，１０を制御することで原燃料及び水蒸気の供給をそれぞれ制御し、電磁バルブ１２，１３を制御することで原燃料及び水蒸気の供給量をそれぞれ制御し、電磁バルブ１６を制御することで空気の導入量を制御する。
【００２６】
図２は、燃料電池システム１の起動時に、制御装置１９により実行される制御処理手順を示すフローチャートである。本制御処理の実行は、例えば図示しない起動スイッチが操作されることで開始される。以下、図２に示すフローチャートを用いて、燃料電池システム１の起動時の運転方法について説明する。
【００２７】
まず、例えば起動・停止用改質器４の近傍に配置されたバーナやヒータ（図示せず）等の熱源によって、起動・停止用改質器４を所定の温度まで加熱する。続いて、電磁バルブ１２，１３を制御して、起動・停止用改質器４に向けて原燃料及び水蒸気を供給することにより、起動・停止用改質器４に起動・停止用改質原料を供給する（手順１０１）。
【００２８】
ここで、起動・停止用改質器４の改質触媒表面に炭素が析出する、いわゆるコーキングが発生すると、改質触媒が劣化して改質反応を阻害する。これを防止するためには、最初に水蒸気のみを起動・停止用改質器４に供給し、その後で原燃料を起動・停止用改質器４に供給するのが望ましい。まず水蒸気のみが起動・停止用改質器４に供給されると、水蒸気が発電用改質器２及び改質ガス供給管１４を介してＳＯＦＣスタック３に供給される。その後、原燃料が起動・停止用改質器４に供給されると、起動・停止用改質器４により改質ガスが生成され、この改質ガスが発電用改質器２及び改質ガス供給管１４を介してＳＯＦＣスタック３に供給される。
【００２９】
また、電磁バルブ１６を制御して、ＳＯＦＣスタック３のカソード３ｂに空気を供給する（手順１０２）。なお、この発電用空気の供給の開始は、手順１０１の前または手順１０１と同時に実行しても良い。
【００３０】
その後、ＳＯＦＣスタック３からのアノードオフガス燃焼熱あるいはヒータ等によりモジュール容器５内が昇温される。そして、発電用改質器２の温度が所定の温度（前述の５５０〜７５０℃程度）に到達したら、電磁バルブ９，１０を制御して、発電用改質器２に向けて原燃料及び水蒸気を供給することにより、発電用改質器２に発電用改質原料を供給する（手順１０３）。すると、発電用改質器２により改質ガスが生成され、この改質ガスが改質ガス供給管１４を介してＳＯＦＣスタック３に供給される。
【００３１】
このとき、発電用改質器２のコーキング（前述）を防止するために、上記と同様に最初に水蒸気のみを発電用改質器２に供給し、その後で原燃料を発電用改質器２に供給するのが望ましい。その後、ＳＯＦＣスタック３が所定の温度まで昇温された後、ＳＯＦＣスタック３から電流を取り出すことにより、ＳＯＦＣスタック３による発電が開始される。
【００３２】
続いて、電磁バルブ１２，１３を制御して、原燃料及び水蒸気の供給を停止することにより、起動・停止用改質器４への起動・停止用改質原料の供給を停止する（手順１０４）。また、起動・停止用改質器４またはその近傍に設けられた熱源からの熱出力を停止する。
【００３３】
このような燃料電池システム１の起動時には、起動・停止用改質器４で生成された改質ガスがＳＯＦＣスタック３に供給され始めると、ＳＯＦＣスタック３がアノード３ａの酸化劣化点（例えば４００℃）以上の温度まで昇温されても、改質ガスによってアノード３ａの酸化劣化が防止される。
【００３４】
図３は、燃料電池システム１の停止時に、制御装置１９により実行される制御処理手順を示すフローチャートである。本制御処理の実行は、例えば図示しない停止スイッチが操作されることで開始される。以下、図３に示すフローチャートを用いて、燃料電池システム１の停止時の運転方法について説明する。
【００３５】
まず、例えば起動・停止用改質器４の近傍に配置されたヒータ（図示せず）等によって、起動・停止用改質器４を所定の温度まで加熱する。また、電磁バルブ９，１０を制御して、原燃料及び水蒸気の供給量を減らすことにより、発電用改質器２への発電用改質原料の供給量を減らす。これにより、発電用改質器２で生成される改質ガスの供給量が減少する。
【００３６】
そして、電磁バルブ１２，１３を制御して、起動・停止用改質器４に向けて少量の原燃料及び水蒸気を供給することにより、起動・停止用改質器４に少量の起動・停止用改質原料を供給する（手順１１１）。すると、起動・停止用改質器４により改質ガスが生成され、この改質ガスが少量だけＳＯＦＣスタック３のアノード３ａに供給される。
【００３７】
また、電磁バルブ９，１０を制御して、原燃料及び水蒸気の供給を停止することにより、発電用改質器２への発電用改質原料の供給を停止する（手順１１２）。これにより、発電用改質器２で生成された改質ガスの供給が停止する。
【００３８】
続いて、例えば電磁バルブ１６を制御して、ＳＯＦＣスタック３のカソード３ｂに供給される空気量を増やす。これにより、ＳＯＦＣスタック３への改質ガスの供給量を少量とする（前述）ことでＳＯＦＣスタック３からのアノードオフガス燃焼熱が減少することと相俟って、モジュール容器５内の降温が開始される（手順１１３）。なお、この手順は、手順１１２の前に実行しても良い。
【００３９】
ＳＯＦＣスタック３内がアノード３ａの酸化劣化点以下の温度になった後、電磁バルブ１２，１３を制御して、原燃料及び水蒸気の供給を停止することにより、起動・停止用改質器４への起動・停止用改質原料の供給を停止する（手順１１４）。また、起動・停止用改質器４またはその近傍に設けられた熱源からの熱出力を停止する。
【００４０】
ここで、改質ガス供給管１４，１８内の改質ガスに比べて冷めにくいＳＯＦＣスタック３がアノード３ａの酸化劣化点以下の温度まで降温するまでの間は、起動・停止用改質器４で生成された改質ガスがＳＯＦＣスタック３に供給され続けるので、アノード３ａの酸化劣化が防止される。
【００４１】
以上のような本実施形態にあっては、炭化水素系の原燃料を改質して改質ガス（水素含有ガス）を生成する起動・停止用改質器４を設け、その起動・停止用改質器４で得られた改質ガスをＳＯＦＣスタック３に供給することにより、ＳＯＦＣスタック３のアノード３ａを酸化劣化から保護するようにしたので、水素供給源として水素ガスボンベ、水素吸蔵・吸熱発生材、電解水素等を使用しなくて済む。また、発電用改質原料を作るための原燃料と起動・停止用改質原料を作るための原燃料とが全く同じであれば、それらの原燃料の供給源を共有化することができる。さらに、起動・停止用改質器４は発電用改質器２と共にモジュール容器５内に配置されているので、省スペース化が図られる。以上により、システム（設備）の簡単化、小規模化及び低コスト化を図ることができる。
【００４２】
また、モジュール容器５内において、起動・停止用改質器４は発電用改質器２を挟んでＳＯＦＣスタック３の反対側に配置されているので、起動・停止用改質器４からＳＯＦＣスタック３に向かう輻射熱が発電用改質器２により遮られるようになる。
【００４３】
このため、燃料電池システム１の起動時に起動・停止用改質器４が昇温される際、起動・停止用改質器４からの輻射熱をＳＯＦＣスタック３が受熱しにくくなるため、起動・停止用改質器４からの輻射熱によってＳＯＦＣスタック３の温度が必要以上に高くなることが防止される。これにより、起動・停止用改質器４で生成された改質ガスがＳＯＦＣスタック３に供給される前、例えば水蒸気のみがＳＯＦＣスタック３に供給されている状態でも、ＳＯＦＣスタック３のアノード３ａの酸化劣化を防止することができる。
【００４４】
また、燃料電池システム１の停止時には、起動・停止用改質器４からＳＯＦＣスタック３への伝熱によってＳＯＦＣスタック３の降温時間が必要以上に長くなることが防止される。このため、起動・停止用改質器４で生成される改質ガスの供給量を少なくし、消費エネルギーを削減することが可能となる。
【００４５】
なお、上記第１実施形態では、発電用改質器２と起動・停止用改質器４とが離間して配置されているが、特にこれには限られない。つまり、燃料電池システム１の起動時に、起動・停止用改質器４から発電用改質器２を経由した伝熱によりＳＯＦＣスタック３が所定の温度以上になる虞がない場合、燃料電池システム１の停止時に、起動・停止用改質器４から発電用改質器２を経由した伝熱によりＳＯＦＣスタック３の降温時間が長くなる虞がない場合には、発電用改質器２と起動・停止用改質器４とを接合しても良い。
【００４６】
また、発電用改質器２及び起動・停止用改質器４の筐体の材質としては、起動・停止用改質器４からＳＯＦＣスタック３への伝熱を低減するため、熱伝導率の低いものを用いるのが望ましい。
【００４７】
図４は、本発明に係わる燃料電池システムの第２実施形態を示すシステム構成図である。図中、第１実施形態と同一または同等の部材及び要素には同じ符号を付し、その説明を省略する。
【００４８】
同図において、本実施形態の燃料電池システム２０は、モジュール容器５内における発電用改質器２と起動・停止用改質器４との間に介在された断熱材２１を備えている。断熱材２１としては、シリカやアルミナ系等が用いられる。
【００４９】
このような断熱材２１を設けることにより、起動・停止用改質器４から発電用改質器２を経由したＳＯＦＣスタック３への伝熱が一層低減されるようになる。これにより、燃料電池システム２０の起動時に、ＳＯＦＣスタック３のアノード３ａの酸化劣化を一層防止することができる。
【００５０】
図５は、本発明に係わる燃料電池システムの第３実施形態を示すシステム構成図である。図中、第１実施形態と同一または同等の部材及び要素には同じ符号を付し、その説明を省略する。
【００５１】
同図において、本実施形態の燃料電池システム３０は、モジュール容器５内における発電用改質器２と起動・停止用改質器４との間に配置された冷媒流通部材３１と、改質ガス供給管１８に設けられた熱交換器３２とを備えている。スペースの観点から、冷媒流通部材３１と熱交換器３２とは一体化されているのが望ましい。
【００５２】
熱交換器３２には、冷却媒体として液体の水を熱交換器３２に供給するため水供給管３３と、冷却媒体として空気を熱交換器３２に供給するため空気供給管３４とが並列に接続されている。水供給管３３には、水の供給量を調整する電磁バルブ３５が設けられ、空気供給管３４には、空気の供給量を調整する電磁バルブ３６が設けられている。
【００５３】
冷媒流通部材３１は、熱交換器３２を通過した水または空気を流通させることで、起動・停止用改質器４で発生した輻射熱を吸収するための部材である。冷媒流通部材３１は、例えば複数の流路部を有する多管型構造をなしている。冷媒流通部材３１には排出管３７が接続されており、冷媒流通部材３１内を流通した水または空気が排出管３７を通ってモジュール容器５の外部に排出される。
【００５４】
また、燃料電池システム３０は、上述した制御装置１９に代えて、制御装置３８を備えている。制御装置３８は、電磁バルブ９，１０を制御することで原燃料及び水蒸気の供給量をそれぞれ制御し、電磁バルブ１２，１３を制御することで原燃料及び水蒸気の供給量をそれぞれ制御し、電磁バルブ１６を制御することで空気の導入量を制御し、電磁バルブ３５，３６を制御することで水または空気の供給量を制御する。
【００５５】
図６は、燃料電池システム３０の起動時に、制御装置３８により実行される制御処理手順を示すフローチャートである。以下、図６に示すフローチャートを用いて、燃料電池システム３０の起動時の運転方法について説明する。
【００５６】
まず電磁バルブ３５を制御して、熱交換器３２を介して冷媒流通部材３１に水を供給する（手順１２１）。そして、例えば起動・停止用改質器４の近傍に配置されたバーナやヒータ（図示せず）等によって起動・停止用改質器４を加熱する。このとき、冷媒流通部材３１内には水が流通しているため、昇温している起動・停止用改質器４からの輻射熱が冷媒流通部材３１内の水に吸収（吸熱）される。
【００５７】
そして、電磁バルブ１２，１３を制御して、起動・停止用改質器４に向けて原燃料及び水蒸気を供給することにより、起動・停止用改質器４に起動・停止用改質原料を供給する（手順１２２）。このとき、上述したように起動・停止用改質器４のコーキングを防止すべく、最初に水蒸気のみを起動・停止用改質器４に供給し、その後で原燃料を起動・停止用改質器４に供給する。
【００５８】
まず水蒸気のみが起動・停止用改質器４に供給されると、水蒸気がＳＯＦＣスタック３に向けて改質ガス供給管１８内を流れるようになる。このとき、熱交換器３２には蒸発潜熱の大きな水が流通しているので、改質ガス供給管１８内の水蒸気は、熱交換器３２により冷却された状態で発電用改質器２及び改質ガス供給管１４を介してＳＯＦＣスタック３のアノード３ａに供給されることとなる。
【００５９】
起動・停止用改質器４への水蒸気の供給を開始した後は、熱電対等の温度センサによって改質ガス供給管１４，１８内の温度を検出し、改質ガス供給管１４，１８内を流れる水蒸気の温度が水の沸点以上で且つアノード３ａの酸化劣化点以下に保持されるように電磁バルブ３５を例えばＰＩＤ制御するのが望ましい。これにより、改質ガス供給管１４，１８内を流れる水蒸気の凝縮による水溜まりの発生を防止することができる。
【００６０】
その後、起動・停止用改質原料が起動・停止用改質器４に供給されると、起動・停止用改質器４により改質ガスが生成され、この改質ガスが改質ガス供給管１８、発電用改質器２及び改質ガス供給管１４を介してＳＯＦＣスタック３のアノード３ａに供給される。
【００６１】
また、電磁バルブ１６を制御して、ＳＯＦＣスタック３のカソード３ｂに空気を供給する（手順１２３）。なお、ＳＯＦＣスタック３への空気の供給は、手順１２２の前または手順１２２と同時に実行しても良い。
【００６２】
そして、改質ガスがＳＯＦＣスタック３に到達した後、電磁バルブ３５を制御して、熱交換器３２ひいては冷媒流通部材３１への水の供給を停止する（手順１２４）。その後、ＳＯＦＣスタック３からの輻射熱やアノードオフガス燃焼熱、或いはヒータ等によりモジュール容器５内の昇温が開始される。
【００６３】
そして、発電用改質器２が所定の温度まで昇温されたら、電磁バルブ９，１０を制御して、発電用改質器２に向けて原燃料及び水蒸気を供給することにより、発電用改質器２に発電用改質原料を供給する（手順１２５）。すると、発電用改質器２により改質ガスが生成され、この改質ガスが改質ガス供給管１４を介してＳＯＦＣスタック３のアノード３ａに供給される。その後、ＳＯＦＣスタック３が所定の温度まで昇温された後、ＳＯＦＣスタック３から電流を取り出すことにより、ＳＯＦＣスタック３による発電が開始される。
【００６４】
続いて、電磁バルブ１２，１３を制御して、原燃料及び水蒸気の供給を停止することにより、起動・停止用改質器４への起動・停止用改質原料の供給を停止する（手順１２６）。また、起動・停止用改質器４またはその近傍に設けられた熱源からの熱出力を停止する。
【００６５】
このような燃料電池システム３０の起動時においては、起動・停止用改質器４を昇温する際に、冷媒流通部材３１内に水を流通させるようにしたので、起動・停止用改質器４からの輻射熱が冷媒流通部材３１内の水に吸収されるようになる。これにより、起動・停止用改質器４からＳＯＦＣスタック３への伝熱によるＳＯＦＣスタック３の温度上昇が一層抑制される。また、改質ガス供給管１８内を流れる水蒸気を熱交換器３２により冷却するため、当該水蒸気によるＳＯＦＣスタック３の温度上昇も抑制される。その結果、ＳＯＦＣスタック３のアノード３ａの酸化劣化を一層防止することができる。
【００６６】
図７は、燃料電池システム３０の停止時に、制御装置３８により実行される制御処理手順を示すフローチャートである。以下、図７に示すフローチャートを用いて、燃料電池システム３０の停止時の運転方法について説明する。
【００６７】
まず電磁バルブ３６を制御して、熱交換器３２を介して冷媒流通部材３１に空気を供給する（手順１３１）。続いて、例えば起動・停止用改質器４の近傍に配置されたヒータ（図示せず）等によって、起動・停止用改質器４を所定の温度まで加熱する。また、電磁バルブ９，１０を制御して、原燃料及び水蒸気の供給量を減らすことにより、発電用改質器２への発電用改質原料の供給量を減らす。これにより、発電用改質器２で生成される改質ガスの供給量が減少する。
【００６８】
そして、電磁バルブ１２，１３を制御して、起動・停止用改質器４に向けて少量の原燃料及び水蒸気を供給することにより、起動・停止用改質器４に少量の起動・停止用改質原料を供給する（手順１３２）。このとき、上述したように、まず水蒸気のみを起動・停止用改質器４に供給し、その後で原燃料を起動・停止用改質器４に供給する。すると、起動・停止用改質器４により改質ガスが生成され、この改質ガスが少量だけＳＯＦＣスタック３のアノード３ａに供給される。
【００６９】
また、電磁バルブ９，１０を制御して、原燃料及び水蒸気の供給を停止することにより、発電用改質器２への発電用改質原料の供給を停止する（手順１３３）。これにより、発電用改質器２で生成された改質ガスの供給が停止する。
【００７０】
続いて、例えば電磁バルブ１６を制御して、ＳＯＦＣスタック３のカソード３ｂに供給される空気量を増やす。これにより、ＳＯＦＣスタック３への改質ガスの供給量を少量とすることでＳＯＦＣスタック３からのアノードオフガス燃焼熱が減少することと相俟って、モジュール容器５内の降温が開始される（手順１３４）。なお、この手順は、手順１３３の前に実行しても良い。
【００７１】
このとき、上記のように温度センサによって改質ガス供給管１４，１８内の温度を検出し、改質ガス供給管１４，１８内を流れる改質ガスの温度が水の沸点以上で且つアノード３ａの酸化劣化点以下に保持されるように電磁バルブ３６を例えばＰＩＤ制御するのが望ましい。これにより、改質ガス中に含まれる水分の凝縮により改質ガス供給管１４，１８内に水溜まりが生じることが防止される。また、熱交換器３２に空気を供給するので、液体のような蒸発衝撃を引き起こすこと無く、改質ガス供給管１８内の改質ガスを冷却することができる。
【００７２】
その後、ＳＯＦＣスタック３の温度がアノード３ａの酸化劣化点以下になったら、電磁バルブ１２，１３を制御して、原燃料及び水蒸気の供給を停止することにより、起動・停止用改質器４への起動・停止用改質原料の供給を停止する（手順１３５）。また、起動・停止用改質器４またはその近傍に設けられた熱源からの熱出力を停止する。そして、電磁バルブ３６を制御して、熱交換器３２への空気の供給を停止する（手順１３６）。
【００７３】
このように燃料電池システム３０の停止時には、ＳＯＦＣスタック３に供給される改質ガスを熱交換器３２により冷却するので、ＳＯＦＣスタック３の降温時間が短くなる。これにより、起動・停止用改質器４で生成される改質ガスの供給量を更に少なくし、消費エネルギーを一層削減することができる。
【００７４】
図８は、本発明に係わる燃料電池システムの第４実施形態を示すシステム構成図である。図中、第１実施形態と同一または同等の部材及び要素には同じ符号を付し、その説明を省略する。
【００７５】
同図において、本実施形態の燃料電池システム４０は、モジュール容器５内において発電用改質器２、ＳＯＦＣスタック３、起動・停止用改質器４及び空気予熱器１７の配置パターンが上記第１実施形態と異なっている。
【００７６】
具体的には、ＳＯＦＣスタック３と起動・停止用改質器４との間には、空気予熱器１７が配置されている。これにより、起動・停止用改質器４からＳＯＦＣスタック３に向かう輻射熱の大部分は、空気予熱器１７及び空気導入管１５の一部により遮られることになる。また、発電用改質器２は、ＳＯＦＣスタック３からの輻射熱及びオフガス燃焼熱を利用して水蒸気改質反応を行うために、ＳＯＦＣスタック３の近傍に配置されている。
【００７７】
このような本実施形態においても、燃料電池システム４０の起動時に、起動・停止用改質器４からの輻射熱をＳＯＦＣスタック３が受けにくくなるため、起動・停止用改質器４からの輻射熱によるＳＯＦＣスタック３の温度上昇が防止される。これにより、システム（設備）の簡単化、小規模化及び低コスト化を図りつつ、ＳＯＦＣスタック３のアノード３ａの酸化劣化を防止することができる。
【００７８】
なお、本発明は、上記実施形態に限定されるものではない。例えば、上記実施形態では、ＳＯＦＣスタック３と起動・停止用改質器４との間に発電用改質器２または空気予熱器１７を配置するようにしたが、ＳＯＦＣスタック３と起動・停止用改質器４との間に配置すべき部材としては特にこれらに限られず、ＳＯＦＣスタック３による発電に寄与する部材であれば良い。
【００７９】
また、上記実施形態では、改質原料を水蒸気改質反応させる改質器を備えているが、本発明は、改質原料を自己熱改質反応や部分改質反応させる改質器を備えるシステムにも適用可能である。
【００８０】
また、上記実施形態は、固体酸化物形燃料電池（ＳＯＦＣ）についてであるが、本発明は、例えばＳＯＦＣと同じ高温型燃料電池である溶融炭酸塩形燃料電池（ＭＣＦＣ）等にも適用可能である。
【図面の簡単な説明】
【００８１】
【図１】本発明に係わる燃料電池システムの第１実施形態を示すシステム構成図である。
【図２】図１に示した燃料電池システムの起動時に、制御装置により実行される制御処理手順を示すフローチャートである。
【図３】図１に示した燃料電池システムの停止時に、制御装置により実行される制御処理手順を示すフローチャートである。
【図４】本発明に係わる燃料電池システムの第２実施形態を示すシステム構成図である。
【図５】本発明に係わる燃料電池システムの第３実施形態を示すシステム構成図である。
【図６】図５に示した燃料電池システムの起動時に、制御装置により実行される制御処理手順を示すフローチャートである。
【図７】図５に示した燃料電池システムの停止時に、制御装置により実行される制御処理手順を示すフローチャートである。
【図８】本発明に係わる燃料電池システムの第４実施形態を示すシステム構成図である。
【符号の説明】
【００８２】
１…燃料電池システム、２…発電用改質器（第１改質器）、３…固体酸化物形燃料電池（ＳＯＦＣ）スタック、３ａ…アノード、４…起動・停止用改質器（第２改質器）、５…モジュール容器、１５…空気導入管、１７…空気予熱器、２０…燃料電池システム、２１…断熱材、３０…燃料電池システム、４０…燃料電池システム。
【図１】
2008198486.tif 000003
【図２】
2008198486.tif 000004
【図３】
2008198486.tif 000005
【図４】
2008198486.tif 000006
【図５】
2008198486.tif 000007
【図６】
2008198486.tif 000008
【図７】
2008198486.tif 000009
【図８】
2008198486.tif 000010